(57)【要約】【課題】  ＬＡＮ等の専用回線を使用する事無く外出先から自宅の居室親機の防犯設定を確認でき、また防犯設定が可能な集合住宅インターホン防犯設定システムを提供する。【解決手段】  居室親機２に、玄関、窓などの開口部の開閉情報を取得する防犯センサ１５が接続されて防犯情報を取得できる集合住宅インターホンシステムに、集合住宅外の管理センタに備えた防犯管理コンピュータ４を公衆電話網５を介して接続し、任意の居室親機２の防犯設定を可能とした。防犯管理コンピュータ４に公衆電話網５を介して制御機３に接続するための発信モデム２９を設けると共に、制御機３に着信モデム２２を設け、公衆電話回線を使用して制御機３から居室親機２の防犯設定有無の情報を取得するよう構成した。【選択図】  図２
2008102692.tif 000002
【特許請求の範囲】
【請求項１】
居住者を呼び出すために集合住宅のエントランスに設置された集合玄関機と、呼び出しに応答するために各居室に設置された居室親機と、双方の間の通話路を制御する制御機とを備え、更に前記居室親機はセンサ接続部を備えて、玄関、窓などの開口部の開閉情報を取得するセンサが接続されると共に、前記センサを制御して防犯情報を収集するセンサ管理手段を備えてなる集合住宅インターホンシステムに、集合住宅外の管理センタに備えた防犯管理コンピュータを接続して、任意の前記居室親機の防犯設定が可能な集合住宅インターホン防犯設定システムであって、
前記防犯管理コンピュータ及び前記制御機は、公衆電話網を介して互いに接続するためのモデムを備え、前記防犯管理コンピュータは公衆電話網を介して前記居室親機の防犯設定有無の情報を取得可能であると共に、前記居室親機を防犯設定できることを特徴とする集合住宅インターホン防犯設定システム。
【請求項２】
前記防犯管理コンピュータは、居住者の本人認証をするためのデータベースを有することを特徴とする請求項１記載の集合住宅インターホン防犯設定システム。
【請求項３】
前記防犯管理コンピュータは、本人認証をした結果を記憶する認証情報記憶部を備え、前記居室親機の防犯設定が不可である場合に、前記防犯管理コンピュータは公衆電話網を介して警備会社に前記認証情報記憶部に記憶した本人認証情報を送信することを特徴とする請求項２に記載の集合住宅インターホン防犯設定システム。
【請求項４】
前記防犯管理コンピュータは、前記警備会社への本人認証情報送信完了後に前記認証情報記憶部に記憶された本人認証情報を消去することを特徴とする請求項３に記載の集合住宅インターホン防犯設定システム。
【請求項５】
前記モデムは、前記防犯管理コンピュータを公衆電話網を介して前記制御機に接続する際、回線交換方式により接続することを特徴とする請求項１乃至４の何れかに記載の集合住宅インターホン防犯設定システム。
【請求項６】
居住者を呼び出すために玄関に設置された玄関子機と、住戸内に設置されて呼び出しに応答するための居室親機とを有し、前記居室親機はセンサ接続部を備えて、玄関、窓などの開口部の開閉情報及び防犯情報を取得するセンサが接続されると共に、前記センサを制御して防犯情報を収集するセンサ管理手段を備えてなるインターホン装置に、住戸外の管理センタに備えた防犯管理コンピュータを接続して、前記居室親機の防犯設定が可能なインターホン防犯設定システムであって、
前記防犯管理コンピュータ及び前記居室親機は、公衆電話網を介して互いに接続するためのモデムを備えて、防犯管理コンピュータは公衆電話網を介して前記居室親機から防犯設定有無の情報を取得可能であると共に、前記居室親機を防犯設定できることを特徴とするインターホン防犯設定システム。
【発明の詳細な説明】
【技術分野】
【０００１】
本発明は、防犯センサを接続して不審者の侵入を検知可能とした集合住宅インターホンシステムや戸建住宅のインターホン装置を、外部から防犯設定して不審者の侵入を検知可能とする集合住宅インターホン防犯設定システム、及びインターホン防犯設定システムに関する。
【背景技術】
【０００２】
インターホンを構成する居室親機にセンサ接続部を設けて、玄関や窓等の開口部の開閉情報等の防犯情報を収集するために設置した防犯センサを接続し、これら開閉部が開操作されたら警報等を発する防犯設定機能を持たせたインターホン装置がある。
このようなインターホン装置において、公衆電話網を利用して外出中の居住者に防犯情報を通報するよう構成されたシステムとして特許文献１に示す構成のものがある。この場合、玄関の施錠を行わずに外出した場合、それを居住者が携行する携帯端末に通知するよう構成されている。
【特許文献１】特開２００５−２１６１８６号公報
【発明の開示】
【発明が解決しようとする課題】
【０００３】
しかしながら、上記特許文献１の技術は、施錠忘れを外出後に認識できるのみで、外出先で防犯センサの設定（防犯設定）の確認、更には防犯設定し忘れた場合に防犯設定をすることはできなかった。そのため、防犯設定するには外出先から戻らなければならなかった。
一方で、集合住宅においては各居室間に配設されたＬＡＮを利用して居室親機を遠隔操作して防犯設定を行なうシステムが考えられるが、防犯設定の確認等にＬＡＮを使用すると、悪質な侵入者の侵入防止のためのファイヤーウォールが制御機近傍に必要であるし、ファイヤーウォールがあったとしても、集合住宅内のＬＡＮ使用者に防犯設定データを盗み見られてしまう虞があるため、このような通信設備を安易に使用することはできなかった。
【０００４】
そこで、本発明はこのような問題点に鑑み、ＬＡＮ等の専用回線を使用する事無く外出先から自宅の居室親機の防犯設定を確認でき、また防犯設定が可能な集合住宅インターホン防犯設定システム、及びインターホン防犯設定システムを提供することを目的としている。
【課題を解決するための手段】
【０００５】
上記課題を解決する為に、請求項１に記載の発明は、居住者を呼び出すために集合住宅のエントランスに設置された集合玄関機と、呼び出しに応答するために各居室に設置された居室親機と、双方の間の通話路を制御する制御機とを備え、更に居室親機はセンサ接続部を備えて、玄関、窓などの開口部の開閉情報を取得するセンサが接続されると共に、センサを制御して防犯情報を収集するセンサ管理手段を備えてなる集合住宅インターホンシステムに、集合住宅外の管理センタに備えた防犯管理コンピュータを接続して、任意の居室親機の防犯設定が可能な集合住宅インターホン防犯設定システムであって、防犯管理コンピュータ及び制御機は、公衆電話網を介して互いに接続するためのモデムを備え、防犯管理コンピュータは公衆電話網を介して居室親機の防犯設定有無の情報を取得可能であると共に、居室親機を防犯設定できることを特徴とする。
この構成によれば、管理センタから防犯設定の確認及び防犯設定を実施できるので、居住者は防犯設定し忘れても、外出先から管理センタに依頼することで防犯設定確認や防犯設定ができ、安心して外出できる。而も、管理センタから集合住宅内のＬＡＮを使用せずに公衆電話網を介して自宅の居室親機を制御するので、他人が不正に防犯設定忘れの情報を取得することが難しく安心できる。
【０００６】
請求項２の発明は、請求項１に記載の発明において、防犯管理コンピュータは、居住者の本人認証をするためのデータベースを有することを特徴とする。
この発明によれば、管理センタに問い合わせをした居住者の本人認証を容易に且つ確実に実施でき、オペレータはスムーズな対応が可能となる。
【０００７】
請求項３の発明は、請求項２に記載の発明において、防犯管理コンピュータは、本人認証をした結果を記憶する認証情報記憶部を備え、居室親機の防犯設定が不可である場合に、防犯管理コンピュータは公衆電話網を介して警備会社に認証情報記憶部に記憶した本人認証情報を送信することを特徴とする。
この構成によれば、防犯設定の確認と警備会社への出動要請を１回の本人認証で行なうことができ、依頼を受けてから処理を終了するまでの時間を短縮できるし、依頼者の負担も軽減できる。
【０００８】
請求項４の発明は、請求項３に記載の発明において、防犯管理コンピュータは、警備会社への本人認証情報送信完了後に認証情報記憶部に記憶された本人認証情報を消去することを特徴とする。
この構成によれば、操作終了後は本人認証情報が抹消されるため、セキュリティが高くなり、信頼性の高いシステムを構築することができる。
【０００９】
請求項５の発明は、請求項１乃至４の何れかに記載の発明において、モデムは、防犯管理コンピュータを公衆電話網を介して制御機に接続する際、回線交換方式により接続することを特徴とする。
この構成によれば、居室親機への防犯設定の確認を回線交換方式で行なうため、ファイヤウォール等を設けなくても不正な情報取得操作を防ぐことができ、簡易な構成でセキュリティを維持できる。
【００１０】
請求項６の発明は、居住者を呼び出すために玄関に設置された玄関子機と、住戸内に設置されて呼び出しに応答するための居室親機とを有し、居室親機はセンサ接続部を備えて、玄関、窓などの開口部の開閉情報及び防犯情報を取得するセンサが接続されると共に、センサを制御して防犯情報を収集するセンサ管理手段を備えてなるインターホン装置に、住戸外の管理センタに備えた防犯管理コンピュータを接続して、居室親機の防犯設定が可能なインターホン防犯設定システムであって、防犯管理コンピュータ及び居室親機は、公衆電話網を介して互いに接続するためのモデムを備えて、防犯管理コンピュータは公衆電話網を介して居室親機から防犯設定有無の情報を取得可能であると共に、居室親機を防犯設定できることを特徴とする。
この構成によれば、管理センタから防犯設定の確認及び防犯設定を実施できるので、居住者は防犯設定し忘れても、外出先から管理センタに依頼することで防犯設定確認や防犯設定ができ、安心して外出できる。而も、公衆電話網を介して自宅の居室親機を制御するので、他人が不正に防犯設定忘れの情報を取得することが難しく安心できる。
【発明の効果】
【００１１】
この構成によれば、管理センタから防犯設定の確認及び防犯設定を実施できるので、居住者は防犯設定し忘れても、外出先から管理センタに依頼することで防犯設定確認や防犯設定ができ、安心して外出できる。而も、管理センタから公衆電話網を介して自宅の居室親機を制御するので、他人が不正に防犯設定忘れの情報を取得することが難しく安心できる。
【発明を実施するための最良の形態】
【００１２】
以下、本発明を具体化した実施の形態を、図面に基づいて詳細に説明する。図１、図２は、本発明に係る集合住宅インターホン防犯設定システムの一例を示し、図１は構成図、図２は図１の主要部を回路ブロックで示している。図において、１は居住者を呼び出すために集合住宅Ａのエントランスに設置された集合玄関機、２は呼び出しに応答するために各居室に設置された居室親機、３は双方の間の通話路を制御する制御機であり、これら集合玄関機１と居室親機２と制御機３とで集合住宅インターホンシステムを構成している。そして、４は集合住宅とは離れて設置された管理センタＢに設けられた防犯管理コンピュータ、５は公衆電話網を示している。
【００１３】
尚、制御機３と居室親機２、制御機３と集合玄関機１とは伝送線Ｌ１，Ｌ２で接続され、防犯管理コンピュータ４と制御機３は公衆電話網５を介して回線交換方式で接続され、通信できるよう構成されている。
【００１４】
居室親機２は、ハンドセットから成る通話部１１、集合玄関機１に備えられているカメラにより撮像された来訪者映像を映し出すモニタである表示部１２、及びこの表示部１２を利用したタッチパネルから成る操作部１３、制御機３と通信するための親機ＩＦ１４、窓や扉に設置されて開閉を検知する防犯センサ１５（１５ａ，１５ｂ・・）を接続するセキュリティＩＦ（センサ接続部）１６、居室親機２を制御する親機ＣＰＵ１７を備えている。
【００１５】
制御機３は、居室親機２、集合玄関機１と通信するための制御機ＩＦ２１、公衆電話網５に接続して防犯管理コンピュータ４からの接続操作に応答するための着信モデム２２、制御機３を制御する制御機ＣＰＵ２３を備えている。
そして、防犯管理コンピュータ４は、キーボード等の操作部２５、依頼者の本人認証を行うための認証情報や接続した居室親機２の防犯情報を表示するための表示部２７、記憶装置３１を接続するための記憶部ＩＦ２８、公衆電話網５を介して集合住宅インターホンシステムの制御機３に接続するための発信モデム２９、防犯管理コンピュータ４を制御する管理ＣＰＵ３０を備えている。
【００１６】
以上の如く構成された集合住宅インターホン防犯設定システムの動作は以下のようである。先ず、居室親機２により防犯設定が成される。これは、居住者により居室（自宅）の窓が閉められた後、居室親機２を操作して防犯設定が行われる。そして玄関を施錠して外出すると、居室親機２は窓や玄関の施錠状況を防犯センサ１５の信号により確認し、施錠がなされていれば防犯設定動作に入り、制御機３に防犯設定開始を通知する。この設定により、防犯センサ１５が窓等の解錠を検知したらその検知信号を受けて居室親機２は警報を発したり制御機３へ通知する等の所定の動作をする。一方、制御機３は居室親機２が防犯設定されたら、その通知を受けて防犯設定状態にあることを記憶する。
【００１７】
その後、集合住宅の居住者が外出後に防犯設定の確認を行なう場合、管理センタＢに電話によって問い合わせをする。以下、図３の防犯設定の確認及び依頼の流れを時系列で示した流れ図を基に説明する。
管理センタＢに電話によって問い合わせが成されたら（Ｓ１）、電話を受けたオペレータが防犯管理コンピュータ４を操作し、暗証番号、居室番号等の記憶装置３１に予め記憶されている内容と照合して本人認証を行ない、電話の主が居住者であることを確認する（Ｓ２）。そして、本人認証が正しく実施されたら記憶装置３１に認証結果が正しいことが本人認証情報として記憶される。
【００１８】
次に、オペレータの操作により防犯管理コンピュータ４が依頼者の集合住宅の制御機３に公衆電話網５を介して接続操作される。この操作により防犯管理コンピュータ４の発信モデム２９が電話回線を使用して制御機３の着信モデム２２に接続操作し防犯管理コンピュータ４と制御機３とが接続される。
接続された制御機３は、ナンバーディスプレイ等の認証形態によって防犯管理コンピュータ４からの接続要求であることを認識し、防犯管理コンピュータ４から設定確認が成される（Ｓ３）。この確認要求を受けて、制御機３は記憶している居室の防犯設定状態を防犯管理コンピュータ４に通知する（Ｓ４）。この通知を受けて防犯管理コンピュータ４は、制御機３から受信した居室親機２の防犯設定状況を表示部２７に表示する。
こうして、管理センタＢのオペレータは防犯設定状態を知ることができ、問い合わせをしている居住者に防犯設定がなされていることを報告（Ｓ５）することができる。
【００１９】
但し、防犯管理コンピュータ４による確認操作で対象とする居室が防犯設定されていないことが判明したら、引き続き以下の操作が成される。防犯設定が成されていないとする報告を受けた居住者が、オペレータに対して防犯設定を依頼（Ｓ６）すると、オペレータは防犯管理コンピュータ４を操作し、制御機３に対し依頼者の居室の防犯設定指示信号を送出する（Ｓ７）。
【００２０】
制御機３は、防犯設定指示信号を受信すると、依頼者の居室親機２に防犯設定信号を送信する。居室親機２は、防犯センサ１５がセットされている（窓や玄関が施錠されている）か確認し、セットされていたら防犯設定を実施して制御機３に防犯設定開始を通知するこ。この通知を受けた制御機３は、接続状態にある防犯管理コンピュータ４に防犯設定完了信号を返信し、防犯管理コンピュータ４の表示部２７にこの返信情報が表示される。こうして、この表示を確認したオペレータが居住者に報告することで防犯設定がなされたことを依頼者は認識できる。
【００２１】
ところが、依頼者が居室の窓を開けた状態で外出した場合、或いは防犯設定をしていない状態で不審者が侵入した場合に居室親機２は、制御機３からの防犯設定信号に対して防犯設定不可信号を返信する（Ｓ８）。管理センタＢのオペレータは、防犯管理コンピュータ４の画面表示によって防犯設定不可であることを認識し、依頼者に防犯設定ができない旨の報告がなされる（Ｓ９）。
【００２２】
この報告を受けて、依頼者が管理センタＢに対して警備会社の出動を要請（Ｓ１０）すると、オペレータは警備会社に対して電話により出動要請を行なう（Ｓ１１）。この時、防犯管理コンピュータ４が操作されて、記憶装置３１に記憶されている本人認証情報が公衆電話網５を使用して警備会社に通知される。そして、防犯管理コンピュータ４は、この通知操作を行ったあと、記憶装置３１の本人認証結果を消去する。尚、警備会社には防犯管理コンピュータ４から送信された本人確認情報を受信して表示する表示装置（図示せず）が設けられている。
【００２３】
出動要請を受けた警備会社は、依頼者の自宅に赴き、安全を確認して開扉されている窓や扉を閉めた後、防犯設定を行う。その後、管理センタＢに防犯設定完了を電話等で報告する（Ｓ１２）。管理センタＢのオペレータは、防犯管理コンピュータ４を操作して制御機３から防犯設定の完了を確認した後、依頼者の携帯電話等との通話路を形成し、防犯設定完了を報告する（Ｓ１３）。
【００２４】
このように、管理センタから防犯設定の確認及び防犯設定を実施できるので、居住者は防犯設定し忘れても、外出先から管理センタに依頼することで防犯設定確認や防犯設定ができ、安心して外出できる。而も、管理センタから集合住宅内のＬＡＮを使用せずに公衆電話網を介して自宅の居室親機を制御するので、他人が不正に接続操作することが難しく安心できる。
また、管理センタに問い合わせをした居住者の本人認証を容易に且つ確実に実施でき、オペレータはスムーズな対応が可能となるし、防犯設定の確認と警備会社への出動要請を１回の本人認証で行なうことができ、依頼を受けてから処理を終了するまでの時間を短縮できるし、依頼者の負担も軽減できる。
更に、操作終了後は本人認証情報が抹消されるため、セキュリティが高くなり、信頼性の高いシステムを構築することができるし、居室親機への防犯設定の確認を集合住宅内のＬＡＮを使用せず、回線交換方式で行なうため、ファイヤウォール等を設けなくても不正な情報取得を防ぐことができ、簡易な構成でセキュリティを維持できる。
【００２５】
尚、上記実施形態では、管理センタＢから防犯設定ができない場合、警備会社の出動を要請して防犯設定を実施したが、もちろん居住者自身が家に帰って防犯設定を行うこともできる。また、防犯管理コンピュータ４の操作により、制御機３に居室の防犯情報を問い合わせる際、回線交換方式の公衆電話網とナンバーディスプレイを利用したが、ＩＳＤＮのＤチャネルパケットを用いて接続しても発信者は特定できることから同様の効果を奏する。
更に、この実施形態では管理センタのオペレータが全て操作していたが、防犯設定の確認等、機械的に行なえる部分については音声合成による自動応答システムを用いてもよい。
【００２６】
また、集合住宅インターホンシステムにおける防犯設定システムを説明したが、この技術は戸建住宅に設置された玄関子機と居室親機とから成るインターホン装置に対して適用でき、居室親機に図２に示す着信モデム２２を設けて公衆通信網５に接続することで、上記実施形態と同様な手順で管理センタＢに設置された防犯管理コンピュータ４の操作により防犯設定を確認したり防犯設定することができる。
【図面の簡単な説明】
【００２７】
【図１】本発明に係る集合住宅インターホン防犯設定システムの一例を示す構成図である。
【図２】図１の要部回路ブロック図である。
【図３】防犯設定の確認及び依頼の流れを時系列で示す流れ図である。
【符号の説明】
【００２８】
１・・集合玄関機、２・・居室親機、３・・制御機、４・・防犯管理コンピュータ、５・・公衆電話網、１５・・防犯センサ（センサ）、１６・・セキュリティＩＦ（センサ接続部）、１７・・親機ＣＰＵ（センサ管理手段）、２２・・着信モデム、２３・・制御機ＣＰＵ、３０・・管理ＣＰＵ、２９・・発信モデム、３１・・記憶装置（データベース、認証情報記憶部）。
【図１】
2008102692.tif 000003
【図２】
2008102692.tif 000004
【図３】
2008102692.tif 000005